(57)【特許請求の範囲】
【請求項１】
直方体状に形成された一対の建物ユニットを、互いの長辺同士が隣り合うように隣接して設置し、
隣接する前記一対の建物ユニットにおける長辺方向及び短辺方向の床梁の一部を取り除いて、この乗り除いた部分に対して前記一対の建物ユニットに跨がるように土間を形成する土間の施工方法であって、
前記一対の建物ユニットの一方に、前記床梁から内側に向けて前記土間の外形に沿うように張り出す張出領域を形成する工程と、
前記張出領域の周縁を、前記土間の周囲を囲む土留めによって下方から支持する工程と、
前記一対の建物ユニットのそれぞれに、前記床梁の一部が取り除かれた部分を補強する複数の治具梁を取り外し自在に取り付ける工程と、
前記複数の治具梁を、前記一対の建物ユニットを現場に設置して前記土間を形成するまでに取り外す工程と、を含み、
前記複数の治具梁には、前記隣接する一対の建物ユニットそれぞれの長辺方向に配置された床梁の一部を取り除いた部分を補強する長辺方向の治具梁と、当該長辺方向の治具梁に交差して取り付けられ、かつ、前記隣接する一対の建物ユニットそれぞれの短辺方向に配置された床梁の一部を取り除いた部分を補強する短辺方向の治具梁と、が含まれ、
前記隣接する一対の建物ユニットのそれぞれは、一部が取り除かれた前記短辺方向の床梁として、前記隣接する一対の建物ユニットの長辺方向中間部分に設けられた中間床梁を備えており、
前記一対の建物ユニットのそれぞれに前記複数の治具梁を取り外し自在に取り付ける工程で、前記短辺方向の治具梁を、前記長辺方向の治具梁と前記中間床梁との間に取り付けることを特徴とする土間の施工方法。
【発明の詳細な説明】
【技術分野】
【０００１】
本発明は、土間の施工方法に関する。
【背景技術】
【０００２】
従来、ユニット式建物は、建物ユニットを現場で複数組み合わせて形成される。複数の建物ユニットのうち、少なくとも１つの建物ユニットに対しては玄関を設けることになるため、建物ユニットの床梁の一部を取り除くことで玄関土間を設けている（例えば特許文献１参照）。
【０００３】
図６，図７は、従来の玄関の土間レイアウトの一例を示す上面視図である。なお、この図６，図７においては、隣り合う２つの建物ユニットの床部分を示している。
建物ユニット１００Ａ，１００Ｂ，２００Ａ，２００Ｂの床部分は、４本の柱１１１ａ，１１１ｂ，２１１ａ，２１１ｂがなす長方形のうち長辺側に配される一対の長辺床梁１０１ａ，１０１ｂ，２０１ａ，２０１ｂと、短辺側に配される一対の短辺床梁１０２ａ，１０２ｂ，２０２ａ，２０２ｂとによって構成されている。そして、一対の長辺床梁１０１ａ，１０１ｂ，２０１ａ，２０１ｂ間には複数の根太１０３ａ，１０３ｂ，２０３ａ，２０３ｂが短辺床梁１０２ａ，１０２ｂ，２０２ａ，２０２ｂと平行に架設されている。
そして、図６に示す土間レイアウトでは、建物ユニット１００Ａの一方の長辺床梁１０１ａの一端部を所定長さだけ取り除くとともに、当該除去部分に対応する根太１０３ａの一部も取り除いている。そして、一方の長辺床梁１０１ａの一端部と他方の長辺床梁１０１ａとの間に、中間床梁１０５ａを短辺床梁１０２ａに平行となるように架設する。さらに、一部が取り除かれた根太１０３ａ同士の端面を連結する中間床梁１０４ａを長辺床梁１０１ａと平行となるように、短辺床梁１０２ａと中間床梁１０５ａとの間に架設する。このように長辺床梁１０１ａや根太１０３ａが取り除かれた領域が玄関土間１０６となる。玄関土間１０６に隣接する長辺床梁１０１ａの端部には、図示しない長辺天井梁に連結される柱１１２ａが設けられている。
【０００４】
また、図７に示す土間レイアウトでは、一方の建物ユニット２００Ａの一対の長辺床梁２０１ａの一端部を所定長さだけ取り除くとともに、当該除去部分に対応する複数の根太２０３ａも取り除いている。そして、一方の長辺床梁２０１ａの一端部と、他方の長辺床梁２０１ａの一端部との間に、短辺床梁２０２ａに平行となるように中間床梁２０５ａを架設する。
他方の建物ユニット２００Ｂの長辺床梁２０１ｂの一端部を所定長さだけ取り除くとともに、当該除去部分に対応する根太２０３ｂの一部も取り除いている。そして、一方の長辺床梁２０１ｂの一端部と、他方の長辺床梁２０１ｂとの間に、短辺床梁２０２ｂに平行となるように中間床梁２０５ｂを架設する。そして、一部が取り除かれた根太２０３ｂ同士の端面を連結する中間床梁２０４ｂを長辺床梁２０１ｂと平行となるように、短辺床梁２０２ｂと中間床梁２０５ｂとの間に架設する。このように、長辺床梁２０１ａ，２０１ｂや、根太２０３ａ，２０３ｂが取り除かれた部分が玄関土間２０６となる。玄関土間２０６に隣接する建物ユニット２００Ａ，２００Ｂそれぞれの長辺床梁２０１ａ，２０１ｂの端部には柱２１２ａ，２１２ｂが設けられている。この柱２１２の上端部は図示しない長辺天井梁に連結されている。
【先行技術文献】
【特許文献】
【０００５】
【特許文献１】特開２００１−１７３１０２号公報
【発明の概要】
【発明が解決しようとする課題】
【０００６】
ところで、顧客の多様な要望に応じるべく様々な土間レイアウトを提案できることが望ましい。
図８に示す土間レイアウトでは、隣接する一対の建物ユニット３００Ａ，３００Ｂの長辺床梁３０１ａ，３０１ｂの一部を取り除いて、この取り除いた部分に対して一対の建物ユニット３００Ａ，３００Ｂを跨がるように土間が形成されている。
【０００７】
具体的には、建物ユニット３００Ａ，３００Ｂの床部分は、４本の柱３１１ａ，３１１ｂがなす長方形のうち長辺側に配される一対の長辺床梁３０１ａ，３０１ｂと、短辺側に配される一対の短辺床梁３０２ａ，３０２ｂとによって構成されている。
建物ユニット３００Ａの一対の長辺床梁３０１ａのうち、一方の長辺床梁３０１ａの一端部を所定長さだけ取り除くとともに、当該除去部分に対応する根太３０３ａの一部も取り除いている。また、他方の長辺床梁３０１ａの中間部を所定の長さだけ取り除くとともに、当該除去部分に対応する複数の根太３０３ａも取り除いている。
そして、一部が取り除かれた根太３０３ａ同士の端面を連結する中間床梁３０４ａの先端部には、他方の長辺床梁３０１ａの内側の一方の端部から短辺床梁３０２ａと平行に延在する中間床梁３０５ａが連結されている。また、他方の長辺床梁３０１ａの内側の他方の端部と、一方の長辺床梁３０１ａとは、短辺床梁３０２ａと平行に延在する中間床梁３２０ａによって連結されている。
【０００８】
他方の建物ユニット３００Ｂでは、一方の長辺床梁３０１ｂの中間部を所定の長さだけ取り除くとともに、当該除去部分に対応する根太３０３ｂの一部も取り除いている。一方の長辺床梁３０１ｂの内側の端部と、他方の長辺床梁３０１ｂとの間に、短辺床梁３０２ｂに平行となるように中間床梁３０６ｂを架設する。そして、一部が取り除かれた根太３０３ｂ同士の端面を連結する中間床梁３０７ｂを長辺床梁３０１ｂと平行となるように、一対の中間床梁３０６ｂの間に架設する。
ここで、長辺床梁３０１ａ，３０１ｂや、根太３０３ａ，３０３ｂが取り除かれた部分が玄関土間３０８となる。玄関土間３０８に隣接する建物ユニット３００Ａ，３００Ｂそれぞれの長辺床梁３０１ａ，３０１ｂには柱３０９ａ，３０９ｂが設けられている。この柱３０９ａ，３０９ｂの上端部は図示しない長辺天井梁に連結されている。
【０００９】
しかしながら、建物ユニット３００Ａにおける玄関土間３０８側に張り出した根太３０３ａ及び中間床梁３０４ａ，３０５ａからなる張出領域３１０においては、その上方に天井梁がないために柱を設置することができない。柱がないと張出領域３１０が強度的に不安定となるおそれがあり、この土間レイアウトを実際の建物に採用するのは困難であった。
【００１０】
このため、本発明の課題は、柱を設置できない部分に張り出した領域があったとしても当該領域の安定性を高めることで、土間レイアウトの自由度を高めることである。
【課題を解決するための手段】
【００１５】
請求項１記載の発明は、例えば図４，図５に示すように、
直方体状に形成された一対の建物ユニット４００Ａ，４００Ｂを、互いの長辺同士が隣り合うように隣接して設置し、
隣接する前記一対の建物ユニット４００Ａ，４００Ｂにおける長辺方向及び短辺方向の床梁（長辺床梁４０１ａ，４０１ｂ、中間床梁４０４ａ，４２１ｂ）の一部を取り除いて、この取り除いた部分に対して前記一対の建物ユニット４００Ａ，４００Ｂに跨がるように土間を形成する土間の施工方法であって、
前記一対の建物ユニット４００Ａ，４００Ｂの一方に、前記床梁（長辺床梁４０１ｂ）から内側に向けて前記土間の外形に沿うように張り出す張出領域４２３を形成する工程と、
前記張出領域４２３の周縁を、前記土間の周囲を囲む土留めによって下方から支持する工程と、
前記一対の建物ユニット４００Ａ，４００Ｂのそれぞれに、前記床梁（長辺床梁４０１ａ，４０１ｂ、中間床梁４０４ａ，４２１ｂ）の一部が取り除かれた部分を補強する複数の治具梁４５０ｂ，４５０ｃ，４５０ｅ，４５０ｇを取り外し自在に取り付ける工程と、
前記複数の治具梁４５０ｂ，４５０ｃ，４５０ｅ，４５０ｇを、前記一対の建物ユニット４００Ａ，４００Ｂを現場に設置して前記土間を形成するまでに取り外す工程と、を含み、
前記複数の治具梁には、前記隣接する一対の建物ユニット４００Ａ，４００Ｂそれぞれの長辺方向に配置された床梁４０１ａ，４０１ｂの一部を取り除いた部分を補強する長辺方向の治具梁４５０ｂ，４５０ｇと、当該長辺方向の治具梁４５０ｂ，４５０ｇに交差して取り付けられ、かつ、前記隣接する一対の建物ユニットそれぞれの短辺方向に配置された床梁４０４ａ，４２１ｂの一部を取り除いた部分を補強する短辺方向の治具梁４５０ｃ，４５０ｅと、が含まれ、
前記隣接する一対の建物ユニット４００Ａ，４００Ｂのそれぞれは、一部が取り除かれた前記短辺方向の床梁として、前記隣接する一対の建物ユニット４００Ａ，４００Ｂの長辺方向中間部分に設けられた中間床梁４０４ａ，４２１ｂを備えており、
前記一対の建物ユニット４００Ａ，４００Ｂのそれぞれに前記複数の治具梁を取り外し自在に取り付ける工程で、前記短辺方向の治具梁４５０ｃ，４５０ｅを、前記長辺方向の治具梁４５０ｂ，４５０ｇと前記中間床梁４０４ａ，４２１ｂとの間に取り付けることを特徴としている。
【００１６】
請求項１記載の発明によれば、床梁（長辺床梁４０１ｂ）から内側に向けて張り出した張出領域４２３の周縁が、土間（玄関土間４０８）の周囲を囲む土留めによって下方から支持されているので、この土留めによって張出領域４２３が安定して支持されることになる。つまり、柱を設置できない部分に形成された張出領域４２３の安定性を高めることができる。したがって、柱を設置できない部分に張出領域４２３を形成することができ、土間レイアウトの自由度を高めることができる。
また、床梁４０１ａ，４０１ｂ，４０４ａ，４２１ｂの一部が取り除かれた部分を補強する治具梁４５０ｂ，４５０ｃ，４５０ｅ，４５０ｇが取り外し自在に取り付けられているので、輸送時においては建物ユニット４００Ａ，４００Ｂの強度を確保し、現場設置時には治具梁４５０ｂ，４５０ｃ，４５０ｅ，４５０ｇを取り外すだけで所望の玄関土間４０８を形成することができる。
【発明の効果】
【００２１】
本発明によれば、柱を設置できない部分に張り出した領域があったとしても当該領域の安定性を高めることができ、土間レイアウトの自由度を高めることが可能となる。
【図面の簡単な説明】
【００２２】
【図１】本実施形態に係るユニット式建物の土間構造で用いられる建物ユニットの概略構成を示す斜視図である。
【図２】本実施形態に係る張出領域の支持構造を示す断面図である。
【図３】図２の張出領域の一部を拡大して示す平面図である。
【図４】玄関の土間レイアウトの変形例を示す上面視図である。
【図５】図４の土間レイアウトをなす土間構造で用いられる建物ユニットの概略構成を示す斜視図である。
【図６】従来の玄関の土間レイアウトの一例を示す上面視図である。
【図７】従来の玄関の土間レイアウトの一例を示す上面視図である。
【図８】玄関の土間レイアウトの一例を示す上面視図である。
【発明を実施するための形態】
【００２３】
以下、図面を参照して本実施形態に係るユニット式建物の土間構造について説明する。
図１は、本実施形態に係るユニット式建物の土間構造で用いられる建物ユニットの概略構成を示す斜視図である。なお、本実施形態では、前述した図８に示す土間レイアウトをなす土間構造を例示して説明する。そして、図１においては、この土間構造に対して用いられる建物ユニット３００Ａ，３００Ｂのうち、建物ユニット３００Ａの概略構成を示している。
【００２４】
建物ユニット３００Ａは、４本の柱３１１ａと、これらの柱３１１ａの上端部同士を連結する４本の天井梁３３１ａ，３３２ａと、４本の柱３１１ａの間に配される床梁３０１ａ，３０２ａとを備えている。
４本の天井梁３３１ａ，３３２ａは、長辺側に配置される２本の長辺天井梁３３１ａと、短辺側に配置される長辺天井梁３３１ａより短い２本の短辺天井梁３３２ａと、によって構成されている。４本の柱３１１ａの上端部間には、天井梁３３１ａ，３３２ａがなす長方形の対角線上に配置される一対の水平ブレース３３３ａが架設されている。
【００２５】
また、床梁３０１ａ，３０２ａは、長辺側に配置される２本の長辺床梁３０１ａと、短辺側に配置される２本の短辺床梁３０２ａと、によって構成されている。
ここで、一対の長辺床梁３０１ａのうち、一方の長辺床梁３０１ａの一端部は所定長さだけ取り除かれており、当該除去部分に対応する根太３０３ａ（図８参照）の一部も取り除かれている。また、他方の長辺床梁３０１ａの中間部は所定の長さだけ取り除かれており、当該除去部分に対応する複数の根太３０３ａも取り除かれている。
そして、一部が取り除かれた根太３０３ａ同士の端面を連結する中間床梁３０４ａの先端部には、他方の長辺床梁３０１ａの内側の一方の端部から短辺床梁３０２ａと平行に延在する中間床梁３０５ａが連結されている。この中間床梁３０４ａ，３０５ａで囲まれた領域は、一部が取り除かれた他方の長辺床梁３０１ａから内側に向けて玄関土間３０８の外形に沿うように張り出した張出領域３１０となる。
なお、玄関土間３０８のうち、出入り口側の領域が玄関領域３０８ａとなり、玄関に隣接して建物ユニット３００Ａから建物ユニット３００Ｂまで連続する領域が土間収納領域３０８ｂとなる（図８参照）。
また、他方の長辺床梁３０１ａの内側の他方の端部と、一方の長辺床梁３０１ａとは、短辺床梁３０２ａと平行に延在する中間床梁３２０ａによって連結されている。
また、一方の長辺床梁３０１ａの端部と、短辺床梁３０２ａとの間には、長辺床梁３０１ａと平行な受けフレーム３４０ａが架設されている。この受けフレーム３４０ａは現場にて玄関土間３０８に埋設される。
【００２６】
このような建物ユニット３００Ａは、工場で製造されることになるが、現場に輸送される際には、長辺床梁３０１ａの一部が取り除かれた部分を補強する治具が取り外し自在に取り付けられている。具体的に説明すると、一方の長辺床梁３０１ａの一部が取り除かれた側の端部と、中間床梁３０５ａとの間には治具梁３５０ａが取り付けられている。また、他方の長辺床梁３０１ａの取り除かれた中間部には治具梁３５０ｂが架設されている。さらに、他方の長辺床梁３０１ａと中間床梁３２０ａとがなす角部と、長辺天井梁３３１ａとの間には治具柱３５０ｃが取り付けられている。これらの治具（治具梁３５０ａ，３５０ｂ及び治具柱３５０ｃ）は、建物ユニット３００Ａが現場に設置され玄関土間３０８が形成されるまでに取り外される。
【００２７】
図２は、張出領域３１０の支持構造を示す断面図である。図３は張出領域３１０の一部を拡大して示す平面図である。なお、玄関土間３０８の周囲は、土留め３６０によって囲まれている。この土留め３６０の上面に対して、張出領域３１０の周縁が載置されている。つまり、張出領域３１０の周縁は土留め３６０によって下方から支持されている。
張出領域３１０の周縁と土留め３６０との間には、張出領域３１０の傾きを調整するための傾き調整部３７０が介在している。傾き調整部３７０は、例えば土留め３６０の上面に対して出没自在に取り付けられたボルトである。このボルトの突出量を調整することによって、中間床梁３０４ａ，３０５ａと土留め３６０との間隔を調整でき、結果的に張出領域３１０の傾きを調整することができる。
なお、傾き調整部３７０は張出領域３１０をなす中間床梁３０４ａ，３０５ａの底部に対し出没自在に設けられていてもよい。
【００２８】
そして、張出領域３１０が水平になると、張出領域３１０と土留め３６０との間に、傾き調整部３７０を囲む枠体３８０が設けられる。この枠体３８０内にはグラウト材３９０が充填されている。グラウト材３９０が固化すると、傾き調整部３７０が固定されることになる。
【００２９】
以上のように、本実施形態によれば、一部が取り除かれた長辺床梁３０１ａから内側に向けて張り出した張出領域３１０の周縁が、玄関土間３０８の周囲を囲む土留め３６０によって下方から支持されているので、この土留め３６０によって張出領域３１０が安定して支持されることになる。つまり、柱を設置できない部分に形成された張出領域３１０の安定性を高めることができる。したがって、柱を設置できない部分に張出領域３１０を形成することができ、土間レイアウトの自由度を高めることができる。
【００３０】
また、張出領域３１０と土留め３６０との間に、張出領域３１０の傾きを調整するための傾き調整部３７０が介在しているので、土留め３６０によって安定して支持された部分で張出領域３１０の傾きを調整することができる。したがって、傾き調整の安定性を確保することができる。
【００３１】
また、張出領域３１０と土留め３６０との間に設けられた枠体３８０によって、傾き調整部３７０が囲まれ、さらにその枠体３８０内にグラウト材３９０が充填されているので、グラウト材３９０が固化することにより傾き調整部３７０を固定することができる。したがって、設置後に張出領域３１０の傾きが変動することを防止することができる。
また、傾き調整後の張出領域３１０と土留め３６０との間隔に対応した高さの枠体３８０を用いて、グラウト材３９０を枠体３８０の上面に面一に充填すれば、グラウト材３９０の上面で張出領域３１０を支持することができ、安定した支持が可能となる。
【００３２】
また、長辺床梁３０１ａの一部が取り除かれた部分を補強する治具（治具梁３５０ａ，３５０ｂ及び治具柱３５０ｃ）が取り外し自在に取り付けられていて、この治具は、建物ユニット３００Ａが現場に設置され玄関土間３０８が形成されるまでに取り外されるので、輸送時においては建物ユニット３００Ａの強度を確保し、現場設置時には治具を取り外すだけで所望の玄関土間３０８を形成することができる。
【００３３】
なお、本発明は上記実施形態に限らず適宜変更可能である。
例えば、本実施形態では、土間として玄関土間３０８を例示して説明したが、これ以外の土間に対しても本発明に係る土間構造を適用可能であることはもちろんである。
【００３４】
また、土間レイアウトにおいても、隣接する一対の建物ユニットの床梁の一部を取り除いて、この取り除いた部分に対して一対の建物ユニットを跨がるように土間が形成されるのであれば上述した以外のレイアウトでもよい。
【００３５】
以下、変形例について説明する。
例えば図４に示すように、隣接する建物ユニット４００Ａ，４００Ｂの床部分は、４本の柱４１１ａ，４１１ｂがなす長方形のうち長辺側に配される一対の長辺床梁４０１ａ，４０１ｂと、短辺側に配される一対の短辺床梁４０２ａ，４０２ｂとによって構成されている。
図５は、建物ユニット４００Ａ，４００Ｂの概略構成を示す斜視図である。
建物ユニット４００Ａ，４００Ｂは、４本の柱４１１ａ，４１１ｂと、これらの柱４１１ａ，４１１ｂの上端部同士を連結する４本の天井梁４３１ａ，４３１ｂ，４３２ａ，４３２ｂと、４本の柱４１１ａ，４１１ｂの間に配される床梁４０１ａ，４０１ｂ，４０２ａ，４０２ｂとを備えている。
４本の天井梁４３１ａ，４３１ｂ，４３２ａ，４３２ｂは、長辺側に配置される２本の長辺天井梁４３１ａ，４３１ｂと、短辺側に配置される長辺天井梁４３１ａ，４３１ｂより短い２本の短辺天井梁４３２ａ，４３２ｂと、によって構成されている。
一方の建物ユニット４００Ａの一対の長辺天井梁４３１ａ間には中間天井梁４３５ａが架け渡されている。そして、天井梁４３１ａ，４３２ａ及び中間天井梁４３５ａがなす長方形の対角線上には、一対の水平ブレース４３３ａが架設されている。
他方の建物ユニット４００Ｂにおける天井梁４３１ｂ，４３２ｂがなす長方形の対角線上には、一対の水平ブレース４３３ｂが架設されている。
【００３６】
一方の建物ユニット４００Ａの一対の長辺床梁４０１ａのうち、一方の長辺床梁４０１ａの一端部を所定長さだけ取り除くとともに、当該除去部分に対応する根太４０３ａも取り除いている。一方の長辺床梁４０１ａの一端には、短辺床梁４０２ａよりも短い中間床梁４０４ａが短辺床梁４０２ａと平行になるように取り付けられている。中間床梁４０４ａの先端部と、短辺床梁４０２ａとの間には、長辺床梁４０１ａと平行な受けフレーム４４０ａが架設されている。この受けフレーム４４０ａは現場にて玄関土間４０８に埋設される。
また、一方の長辺床梁４０１ａの一端には、柱４０５ａが設けられている。
また、他方の長辺床梁４０１ａの他端部のみが所定長さだけ残るように、その他の部分を取り除くとともに、当該除去部分に対応する複数の根太４０３ａも取り除いている。残存する他方の長辺床梁４０１ａの一端部と、一方の長辺床梁４０１ａとは、短辺床梁４０２ａと平行に延在する中間床梁４２０ａによって連結されている。
【００３７】
他方の建物ユニット４００Ｂでは、一方の長辺床梁４０１ｂの他端部のみが所定長さだけ残るように、その他の部分を取り除くとともに、当該除去部分に対応する根太４０３ｂの一部も取り除いている。具体的には上面視階段状となるように複数の根太４０３ｂの一部を取り除いている。段部の境界には、短辺床梁４０２ｂと平行な中間床梁４２１ｂが配置されており、当該中間床梁４２１ｂの一端部が他方の長辺床梁４０１ｂに連結されている。なおかつ、一方の長辺床梁４０１ｂの一端部と、他方の長辺床梁４０１ｂとは、短辺床梁４０２ｂと平行に延在する中間床梁４２０ｂによって連結されている。また、一部が取り除かれた根太４０３ｂ同士の端面を連結する中間床梁４２２ｂを長辺床梁２０１ｂと平行となるように、中間床梁４２０ｂと中間床梁４２１ｂの間、中間床梁４２１ｂと短辺床梁４０２ｂの間のそれぞれに架設する。
建物ユニット４００Ａ，４００Ｂのうち、根太４０３ａ，４０３ｂが取り除かれた領域が玄関土間４０８となる。玄関土間４０８は、一方の長辺床梁４０１ａ、中間床梁４２０ａ，４２０ｂ，４２１ｂ，４２２ｂ及び短辺床梁４０２ａ，４０２ｂによって囲まれている。この玄関土間４０８のうち、出入り口側の領域が玄関領域４０８ａとなり、玄関領域４０８ａに隣接する領域が土間収納領域４０８ｂとなる。また、玄関土間４０８のうち、受けフレーム４４０ａよりも外側の領域にはアルコーブが形成される。
また、中間天井梁４３５ａと、短辺天井梁４３２ａとの間には中間天井梁４３６ａが架け渡されている。この中間天井梁４３６ａの両端部と、受けフレーム４４０との両端部との間には、それぞれサッシ間柱４３７ａが取り付けられている。
そして、他方の建物ユニット４００Ｂのうち、中間床梁４２０ｂ，４２１ｂ，４２２ｂで囲まれた領域は張出領域４２３である。さらに、他方の建物ユニット４００Ｂのうち、中間床梁４２１ｂ，４２２ｂ及び短辺床梁４０２ｂで囲まれた領域も張出領域４２４である。これら張出領域４２３，４２５の周縁が、玄関土間４０８の周囲を囲む土留めによって支持されている。
【００３８】
このような建物ユニット４００Ａ，４００Ｂにおいても、工場で製造されることになるが、現場に輸送される際には、長辺床梁４０１ａ，４０１ｂの一部が取り除かれた部分を補強する治具が取り外し自在に取り付けられている。
【００３９】
一方の建物ユニット４００Ａでは、一方の長辺床梁４０１ａの一部が取り除かれた側の端部と、短辺床梁４０２ａとの間に治具梁４５０ａが取り付けられている。他方の長辺床梁４０１ａの一部が取り除かれた側の端部と、短辺床梁４０２ａとの間には治具梁４５０ｂが取り付けられている。そして、中間床梁４０４ａと、治具梁４５０ｂとの間には治具梁４５０ｅが取り付けられている。
さらに、他方の長辺床梁４０１ａの一部が取り除かれた側の端部と、長辺天井梁４３１ａとの間には治具柱４５０ｆが取り付けられている。
【００４０】
他方の建物ユニット４００Ｂでは、一方の長辺床梁４０１ｂの一部が取り除かれた側の端部と、短辺床梁４０２ｂとの間に治具梁４５０ｇが取り付けられている。さらに、一方の長辺床梁４０１ｂの一部が取り除かれた側の端部と、長辺天井梁４３１ｂとの間には治具柱４５０ｈが取り付けられている。そして、中間床梁４２１ｂの先端と治具梁４５０ｇとの間には、治具梁４５０ｃが取り付けられている。
これらの治具は、建物ユニット４００Ａ，４００Ｂが現場に設置され玄関土間４０８が形成されるまでに取り外される。
【符号の説明】
【００４１】
３００Ａ    建物ユニット
３００Ｂ    建物ユニット
３０１ａ，３０１ｂ      長辺床梁（床梁）
３０２ａ，３０２ｂ      短辺床梁
３０３ａ，３０３ｂ      根太
３０４ａ      中間床梁
３０８      玄関土間
３１０      張出領域
３１１ａ，３１１ｂ      柱
３２０ａ    中間床梁
３５０ａ    治具梁（治具）
３５０ｂ    治具梁（治具）
３５０ｃ    治具柱（治具）
３６０      土留め
３７０      傾き調整部
３８０      枠体
３９０      グラウト材
【図１】
0006499843.tif 000002
【図２】
0006499843.tif 000003
【図３】
0006499843.tif 000004
【図４】
0006499843.tif 000005
【図５】
0006499843.tif 000006
【図６】
0006499843.tif 000007
【図７】
0006499843.tif 000008
【図８】
0006499843.tif 000009